(57)【要約】【課題】洪水や津波等の緊急避難時に簡単に着用することができ、しかも避難行動に支障がなく、防寒性能や耐水性能に優れた防災用スーツを提供する。【解決手段】上着１０の両袖部１１と両脇部１２とにマチ部１を形成する。長ズボン２０の両脇部２１にマチ部１を形成する。各マチ部１の外形に沿ってファスナー２を設ける。各ファスナー２を上から下に向けて閉じたときに各マチ部１が閉じるように設ける。各マチ部１が閉じると各マチ部１が身体に密着する。各ファスナー２を開くとマチ部１と身体との間に隙間が生じるように構成する。【選択図】  図１
0003208380.tif 000002
【実用新案登録請求の範囲】
【請求項１】
ラバーの両面にジャージを貼り付けた生地にて形成され、前開きの長袖の上着及び長ズボンから成る防災用スーツであって、上着の両袖部と両脇部及び、長ズボンの両脇部に、長手方向に沿ったマチ部を形成し、各マチ部の外形に沿ってファスナーを設け、各マチ部の各ファスナーを上から下に向けて閉じたときに各マチ部が閉じると共に各マチ部が身体に密着し、各ファスナーを開いたときに各マチ部が広がってマチ部と身体との間に隙間が生じるように構成したことを特徴とする防災用スーツ。
【請求項２】
前記マチ部は、前記上着と前記長ズボンとを形成する生地にて一体に形成され、前記ファスナーは、前記マチ部の外形に沿ってテープが縫合され、スライダーが上から下に移動するとエレメントが閉じるように構成された請求項１記載の防災用スーツ。
【請求項３】
前記上着は、前記長ズボンの股下を保持する股掛けを備えた請求項１記載の防災用スーツ。
【考案の詳細な説明】
【技術分野】
【０００１】
本考案は、防災用具の一つとして常設しておき緊急避難時に着用する防災用スーツに関するものである。
【背景技術】
【０００２】
救命用衣服の一つとして船舶等に備えるイマーションスーツが知られている。このイマーションスーツは、海上における人命の安全のため国際条約（ＳＯＬＡＳ条約：32-3規則）により、個人用救命設備として貨物船での人数分の備え付けが義務化されている。そして、寒冷海域における船舶の海難事故等において、遭難者等が着用することにより、水中等で体温低下を防ぎ、遭難者の保命率を高めるものである。
【０００３】
特許文献１に記載された救命用衣服は、このイマーションスーツの縫製が容易になるように改良されたもので、スーツ本体の曲折部へ縫い付ける周辺部を別部材で形成し、該別部材をスーツ本体の曲折部外に設けたものであった。
【先行技術文献】
【特許文献】
【０００４】
【特許文献１】特開２００６-３３６１６１号公報
【考案の概要】
【考案が解決しようとする課題】
【０００５】
ところが、従来のイマーションスーツや特許文献１に記載の救命用衣服は、水中での浮力が得られるように気密性の高い大きめのサイズに形成されている。そのため、海難事故で海中に避難する場合の必需品になっていても、他の災害、例えば台風、地震などによる洪水や津波等の緊急避難時に防災用スーツとして使用することは困難な構成であった。
【０００６】
すなわち、洪水や津波等の緊急避難時に着用する防災用スーツは、避難行動し易い防災用スーツが求められる。しかしながら、従来のイマーションスーツや特許文献１に記載の救命用衣服を着用すると、陸上での動きが著しく制限されることになる。したがって、これら従来のイマーションスーツや救命用衣服は、陸上における緊急避難時に使用することは困難であった。
【０００７】
また、避難後、救助が来るまでの間、体温の低下を防ぐことが必要になる。この場合、陸上で待機する場合や、運悪く水に浸かった状態で救援を待つ状態などあらゆるケースが想定される。そのため、洪水や津波等の緊急避難時に着用する防災用スーツは、避難行動に支障がなく、防寒性能や耐水性能が求められるものである。
【０００８】
そこで本考案は、上述の課題を解消すべく案出されたもので、例えば洪水や津波等の緊急避難時に簡単に着用することができ、しかも避難行動に支障がなく、防寒性能や耐水性能に優れた防災用スーツの提供を目的とするものである。
【課題を解決するための手段】
【０００９】
上述の目的を達成すべく本考案における第１の手段は、ラバーの両面にジャージを貼り付けた生地にて形成され、前開きの長袖の上着１０及び長ズボン２０から成る防災用スーツであって、上着１０の両袖部１１と両脇部１２及び、長ズボン２０の両脇部２１に、長手方向に沿ったマチ部１を形成し、各マチ部１の外形に沿ってファスナー２を設け、各ファスナー２を上から下に向けて閉じたときに各マチ部１が閉じると共に、各マチ部１が身体に密着し、各ファスナー２を開いたときに前記マチ部１が広がって該マチ部１と身体との間に隙間が生じるように構成したものである。
【００１０】
第２の手段において、前記マチ部１は、前記上着１０と前記長ズボン２０とを形成する生地にて一体に形成され、前記ファスナー２は、前記マチ部１の外形に沿ってテープ２Ｂが縫合され、スライダー２Ａが上から下に移動するとエレメント２Ｃが閉じるように構成している。
【００１１】
第３の手段において、前記上着１０は、前記長ズボン２０の股下を保持する股掛け１３を備えたものである。
【考案の効果】
【００１２】
請求項１のごとく、上着１０の両袖部１１と両脇部１２及び、長ズボン２０の両脇部２１に、長手方向に沿ったマチ部１を形成し、各マチ部１の外形に沿ってファスナー２を設け、各ファスナー２を上から下に向けて閉じたときに各マチ部１が閉じると共に、各マチ部１が身体に密着するように構成したことで、洪水や津波等の緊急避難時にファスナー２を下げて各マチ部１を閉じると、各マチ部１が身体に密着するので、防水用のスーツとして機能するものである。
【００１３】
しかも、ファスナー２を開いたときにマチ部１が広がって該マチ部１が身体から離れるように構成しているので、誰でも簡単に着用することができる。しかも、上着１０の両袖部１１と両脇部１２及び、長ズボン２０の両脇部２１に余裕ができるので、着用時に動きやすくなり避難行動に支障がない。
【００１４】
また、請求項２のごとく、マチ部１は、前記上着１０と前記長ズボン２０とを形成する生地にて一体に形成され、前記ファスナー２は、前記マチ部１の外形に沿ってテープ２Ｂが縫合され、スライダー２Ａが上から下に移動するとエレメント２Ｃが閉じるように構成しているので、耐水性能のみならず、防寒性能にも優れるものである。
【００１５】
更に、請求項３のように、上着１０は、前記長ズボン２０の股下を保持する股掛け１３を備えているので、上着１０と長ズボン２０とを一体化した着用が可能になる。この結果、更に動きやすくなり、保温効果や防水効果等を高めることができる。
【００１６】
このように、本考案によると、洪水や津波等の緊急避難時に簡単に着用することができ、しかも避難行動に支障がなく、防寒性能や耐水性能に優れるなどといった当初の目的を達成した。
【図面の簡単な説明】
【００１７】
【図１】本考案防災用スーツの正面図である。
【図２】本考案の上着を示し、（イ）はマチ部を開いた状態、（ロ）はマチ部を閉じた状態を示す斜視図である。
【図３】本考案の長ズボンを示し、（イ）はマチ部を開いた状態、（ロ）はマチ部を閉じた状態を示す斜視図である。
【考案を実施するための形態】
【００１８】
以下、本考案の実施の形態を説明する。本考案は、緊急避難時に着用するもので、防災具の一つとして例えば各市町村や各家庭等が常設しておく防災用スーツである。
【００１９】
本考案防災用スーツの構成は、長袖の上着１０と長ズボン２０とで構成されるもので、いずれもラバーの両面にジャージを貼り付けた生地にて形成され、前開き用のファスナー２を備えたものである。すなわち、上着１０と長ズボン２０は、いずれもウェットスーツと同様の生地にて形成され、前開き部のファスナー２を上げることで閉じるように設けられている。
【００２０】
本考案では、これら上着１０の両袖部１１と両脇部１２及び、長ズボン２０の両脇部２１に、長手方向に沿ったマチ部１を形成したものである。更に、各マチ部１の外形に沿ってファスナー２を設け、各マチ部１の各ファスナー２を上から下に向けて閉じたときに各マチ部１が閉じて、各マチ部１が身体に密着するように構成している。また、マチ部１のファスナー２を下から上に向けて開いたときにマチ部１が広がって該マチ部１が身体から離れるように構成したものである。
【００２１】
このマチ部１は、上着１０と長ズボン２０とを形成する生地にて一体に形成されている。すなわち、マチ部１は各生地を折り込んで形成した襞状を成し、このマチ部１の外形に沿ってファスナー２を設けた構成である。
【００２２】
このマチ部１に設けるファスナー２は、マチ部１の外形に沿ってテープ２Ｂが縫合され、スライダー２Ａが上から下に移動するとエレメント２Ｃが閉じるように設けたものである。
【００２３】
更に上着１０には、長ズボン２０の股下を保持する股掛け１３を備えている。この股掛け１３は、一般的にダイビングスーツに設けられるもので、長ズボン２０の股下を保持するように形成されている。本考案防災用スーツの上着１０において、このような股掛け１３を設けることで、運動性能が向上し、保温効果や防水効果等を高めることができる。
【００２４】
尚、本考案防災用スーツの構成や形状は任意に変更することができ、本考案の要旨を変更しない範囲での設計変更は自由に行える。また、本考案を防災具の一つとして常設しておく場所の選定や使用方法などは任意に変更できるものである。
【符号の説明】
【００２５】
１  マチ部
２  ファスナー
２Ａ  スライダー
２Ｂ  テープ
２Ｃ  エレメント
１０  上着
１１  袖部
１２  脇部
１３  股掛け
２０  長ズボン
２１  脇部
【図１】
0003208380.tif 000003
【図２】
0003208380.tif 000004
【図３】
0003208380.tif 000005